(57)【要約】【課題】  手提げ部が取れるのを防ぐ手提げ紐付袋の製造方法を提供すること。【解決手段】  第１の帯紙７の上に連続した紐６’を蛇行して重ね、さらに、第２の帯紙１１を重ねた後、第２の帯紙１１の上から加圧ロール１２で加圧して、第１の帯紙７、紐６’及び第２の帯紙１１を接着し、次いで、この接着物を中心線に沿って切断してから、左右の帯片を適宜長さに切断することにより、第１の紙片と第２の紙片で手提げ紐を挟んで成る手提げ部を得、手提げ部の第１の紙片を袋用原紙に貼着する。加圧ロール１２の表面に、紐６’の配設部分に合致する逃げ溝１３を形成し、加圧ロール１２で加圧する時に、紐６’の配設された部分を逃げ溝１３に嵌合する。【選択図】          図１
2005287881.tif 000002
【特許請求の範囲】
【請求項１】
上面に接着剤を塗布した第１の帯紙の上に、連続した紐を蛇行して、且つ、その両側の湾曲した頂部が前記第１の帯紙の両側から突出するよう重ね、さらに、その上に接着剤を介して第２の帯紙を重ねた後、前記第２の帯紙の上から加圧ロールで加圧して、前記第１の帯紙、紐及び第２の帯紙を接着し、次いで、この接着物を中心線に沿って切断してから、切断分離された左右の帯片を、前記紐の湾曲した頂部の両側において適宜長さに切断することにより、前記第１の帯紙から形成される第１の紙片と、第２の帯紙から形成される第２の紙片とで、湾曲した手提げ紐を挟んで成る手提げ部を得、前記第１の紙片を袋用原紙に貼着する手提げ紐付袋の製造方法において、前記加圧ロールの表面に、前記紐の配設部分に合致する逃げ溝を形成し、該加圧ロールが回動して加圧する時に、前記紐の配設された部分を前記逃げ溝に嵌合することを特徴とする手提げ紐付袋の製造方法。
【発明の詳細な説明】
【技術分野】
【０００１】
本発明は、手提げ紐付袋の製造方法に関する。
【背景技術】
【０００２】
袋の前後壁に孔を開けて手提げ紐を通すと、孔の部分から破れる虞があるので、２枚の紙片で湾曲した手提げ紐を挟んで成る手提げ紐体を袋用原紙に貼着し、この袋用原紙から袋を形成することが多い。
このような手提げ紐体を形成する方法として、連続的に繰り出される帯紙の片面に接着剤を塗布すると共に円筒に沿って移送し、その接着剤塗布面に連続して送り出される紐を千鳥状に振りながら重ね、更に紐の上面より接着剤を塗布して他の帯紙を重ねてこれら３者を円筒と圧着ロール間で圧着して接合し、次いでこの接着物を中心より２分割すると共に、２分割された接着物をその流れ方向と直角方向に切断する方法が知られている（特許文献１参照）。
【０００３】
ところが、この方法で形成された手提げ紐体は、圧着する際に、紐配置部分も円筒と圧着ローラで両側から加圧されるので、２枚の紙片がいずれも紐の部分において隆起すると共に、紐配置部分の間が陥没する。
このような手提げ紐体を袋用原紙に貼り付けると、紙片の陥没した部分が袋用原紙から浮き上がってしまい、接着不良が生じて、袋に物品を収納した時、その重量により手提げ紐体が取れる心配がある。
【０００４】
【特許文献１】特公昭４９−２３０３５号公報
【発明の開示】
【発明が解決しようとする課題】
【０００５】
本発明が解決しようとする課題は、手提げ紐を挟む２枚の紙片の内、一方の紙片が平滑に形成され、この平滑な紙片を袋用原紙に貼着することにより、手提げ部が袋から取れるのを防ぐと共に、貼着用加圧ロールを帯び紙の上方に位置させることによってその整備を容易とした手提げ紐付袋の製造方法を提供することにある。
【課題を解決するための手段】
【０００６】
本発明の手提げ紐付袋の製造方法は、上面に接着剤を塗布した第１の帯紙の上に、連続した紐を蛇行して、且つ、その両側の湾曲した頂部が前記第１の帯紙の両側から突出するよう重ね、さらに、その上に接着剤を介して第２の帯紙を重ねた後、前記第２の帯紙の上から加圧ロールで加圧して、前記第１の帯紙、紐及び第２の帯紙を接着し、次いで、この接着物を中心線に沿って切断してから、切断分離された左右の帯片を、前記紐の湾曲した頂部の両側において適宜長さに切断することにより、第１の帯紙から形成される第１の紙片と、第２の帯紙から形成される第２の紙片とで、湾曲した手提げ紐を挟んで成る手提げ部を得、該手提げ部の第１の紙片を袋用原紙に貼着するものであって、前記加圧ロールの表面に、前記紐の配設部分に合致する逃げ溝を形成し、該加圧ロールで加圧する時に、前記紐の配設された部分を前記逃げ溝に嵌合することを特徴とする。
【発明の効果】
【０００７】
本発明によれば、加圧ロールが回動して第２の帯紙の上から加圧する際に、紐配置部分が加圧ロールの逃げ溝に嵌合するので、紐配置部分に加わる圧力は他の部分に比較して非常に弱くなり、このため、第２の帯紙は紐配置部分において隆起するが、第１の帯紙は平滑な状態を保ち、この結果、第１の帯紙を切断して形成される第１の紙片を袋用原紙に貼り付けた時、袋用原紙と手提げ部との間に隙間があくことなく広い面積で確実に接着され、手提げ部が取れるのを防ぐことができる。
さらに、貼着用加圧ロールが帯紙の上方に位置しているため、外部からこれに触れることが簡単にでき、その整備を容易とする。
【発明を実施するための最良の形態】
【０００８】
以下、本発明の実施例を図面に基づいて詳細に説明する。
図６に示すように、本発明によって製造される手提げ紐付袋１は、袋本体２と、その上端開口部の前後壁内面にそれぞれ装着された手提げ部３とを有する。
手提げ部３は、第１の紙片４と第２の紙片５とで湾曲した手提げ紐６の両端部を挟んで成り、第１の紙片４を袋本体２に貼り付けてある。
【０００９】
手提げ部３は、次のように、製造される。
図１に示すように、ロールに巻き付けられた第１の帯紙７が、ガイドロール１０に案内され、図示しない糊付け装置を介して下部ロール８の上に送り出される。糊付け装置において、第１の帯紙７の上面には接着剤が塗布される。
紙或いは合成樹脂を素材とする紐６’は、ロールに巻き付けられており、第１の帯紙７の上に連続して送り出され、下部ロール８の上において、第１の帯紙７の上面に重ねられる。
【００１０】
下部ロール８の近傍上流側には、複数の紐ガイド突起９が設けられる。紐ガイド装置９は略半円形をなし、その円弧状の側面が交互に逆向きになるよう配置される。
また、これら紐ガイド装置９は、円弧状の側面の方向に、第１の帯紙７の搬送方向と交差するよう、交互に幅方向逆向きに移動しながら、第１の帯紙７の搬送方向と平行に移動する。
そして、下部ロール８の直前で第１の帯紙７の両側に達し、その後、下降して第１の帯紙７の搬送経路から外れ、元の位置に復帰するようになっている。
【００１１】
これらの紐ガイド突起９は、下部ロール８の上流側で、連続して送り出される紐６’をその円弧状側面で引っ掛け、交互に逆向きに側方へ移動しながら、下部ロール８に接近する。
従って、紐６’は、蛇行した状態で第１の帯片７の上に重ねられ、紐６’の湾曲した頂部は、第１の帯紙７の両側に突出する。
また、ロールに巻き付けられた第２の帯紙１１が、ガイドロール１０’に案内され、糊付け装置２０を経て、第１の帯紙７上に重ねた紐６’の上にさらに重ねられる。第２の帯紙１１は、第１の帯紙７と同幅であり、糊付け装置２０において第２の帯紙１１の下面に接着剤が塗布される。
【００１２】
下部ロール８の上方には貼着用加圧ロール１２が設置される。加圧ロール１２は第２の帯紙１１の上方から、積層された第１の帯紙７，紐６’及び第２の帯紙１１を加圧し、下部ロール８と共働してこれら第１の帯紙７，紐６’及び第２の帯紙１１を接着する。
また、加圧ロール１２の表面には、紐６’の配設部分と合致する位置に、複数の逃げ溝１３が形成される。
蛇行する紐６の帯紙７，１１で挟まれた部分は、帯紙７，１１の幅方向に対して僅かに傾斜しているので、各逃げ溝１３は、それぞれ合致する紐６’の傾斜角度に対応するように、加圧ロール１２上にその軸方向に対して僅かに傾斜して形成される。
【００１３】
また、逃げ溝１３の深さは、紐６’の直径よりもやや浅く形成される。そして、加圧ロール８が回動して第２の帯紙１１の上から加圧すると、図２に示すように、紐６’を設置した部分は逃げ溝１３内に嵌合される。
逃げ溝１３の深さは紐６’の直径よりもやや浅いので、逃げ溝１３内へ嵌合した部分も加圧されて、紐６’は第１の帯紙７及び第２の帯紙１１に接着されるが、この部分に加わる圧力は、他の部分に加わる圧力に比較して非常に弱いため、第２の帯紙１１は紐６’の部分において隆起すると共に、隆起部分の間が陥没するが、第１の帯紙７は平滑な状態を保つ。
【００１４】
第１の帯紙７，紐６’及び第２の帯紙１１を重ねて接着した接着物は、図３に示すように、下部ロール８及び加圧ロール１２の下流に設置されたスリッタロール１４を通過する。スリッタロール１４の外周面中央部には刃１５が周方向に沿って装着され、この刃１５により、接着物がその中心線に沿って切断される。
刃１５により切断分離された左右の帯片１６，１６’は、それぞれ複数の案内ロール１７に案内されて切断装置１８へ送り込まれる。
切断装置１８へ送り込まれた帯片１６，１６’は、図４に示すように、紐６’の湾曲した頂部の両側において適宜長さに切断され、切断された紐６’が手提げ紐６となり、第１の帯紙７から第１の紙片４が、第２の帯紙１１から第２の紙片５がそれぞれ形成され、手提げ部３が得られる。
【００１５】
このようにして得られた手提げ部３は次工程に移送され、図５に示すように、第１の紙片４が袋用原紙１９に貼り付けられる。
平滑な第１の帯紙７から形成された第１の紙片４は、平らで陥没部分が無いので、広い面積で確実に袋用原紙１９に接着される。
手提げ部３が貼着された袋用原紙１９は、製袋機において任意の形状の手提げ紐付袋１に成形される。
【００１６】
なお、下部ロール８及び加圧ロール１２は、積層された第１の帯紙７，紐６’及び第２の帯紙１１の搬送方向に沿って複数組設置しても良い。
また、紐６を蛇行させる装置は、上記実施例のものに限定されず、紐６を案内して左右に往復運動するクランク装置等を用いることもできる。
【図面の簡単な説明】
【００１７】
【図１】本発明の実施例に係る帯紙及び紐の接着工程の斜視図。
【図２】本発明の実施例に係る帯紙及び紐の接着工程の要部断面図。
【図３】本発明の実施例に係る手提げ部切断工程の正面図。
【図４】帯片の平面図。
【図５】本発明の実施例に係る手提げ部と袋用原紙の貼り付け工程の断面図。
【図６】本発明の実施例に係る手提げ紐付袋の斜視図。
【符号の説明】
【００１８】
１  手提げ紐付袋
２  袋本体
３  手提げ部
４  第１の紙片
５  第２の紙片
６  手提げ紐
６’  紐
７  第１の帯紙
８  下部ロール
９  紐ガイド突起
１０，１０’  ガイドロール
１１  第２の帯紙
１２  加圧ロール
１３  逃げ溝
１４  スリッタロール
１５  刃
１６，１６’  帯片
１７  案内ロール
１８  切断装置
１９  袋用原紙
２０  糊付け装置
【図１】
2005287881.tif 000003
【図２】
2005287881.tif 000004
【図３】
2005287881.tif 000005
【図４】
2005287881.tif 000006
【図５】
2005287881.tif 000007
【図６】
2005287881.tif 000008